【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】  少なくとも第１の薬剤と第２の薬剤との間で発熱反応を起こさせて、該発熱反応を土壌と接触した状態で生じさせ、病原生物及び有害生物の駆除を達成する又は該駆除に貢献し、耕地のうちの栽培される作物が育てられる領域のみが処理を受けることを特徴とする農作物の病原生物及び有害生物を駆除するための方法。
【請求項２】  前記第１の薬剤及び前記第２の薬剤が、処理を受ける土壌と接触した状態で配置される前に、相互に接触した状態にされることを特徴とする、請求項１に記載の農作物の病原生物及び有害生物を駆除するための方法。
【請求項３】  先ず、少なくとも第１の薬剤が前記土壌に散布され、その後、前記第１の薬剤及び前記第２の薬剤の混合物が前記土壌自体に噴射されることを特徴とする、請求項２に記載の農作物の病原生物及び有害生物を駆除するための方法。
【請求項４】  前記第１の薬剤及び前記第２の薬剤が、前記土壌と接触した状態で配置された後に相互に接触することを特徴とする、請求項２に記載の農作物の病原生物及び有害生物を駆除するための方法。
【請求項５】  前記第１の薬剤及び前記第２の薬剤の両方が前記土壌に噴射されることを特徴とする、請求項２から請求項４までの何れか一項に記載の農作物の病原生物及び有害生物を駆除するための方法。
【請求項６】  前記第１の薬剤及び前記第２の薬剤が相互に異なる深さで前記土壌中に噴射されることを特徴とする、請求項５に記載の農作物の病原生物及び有害生物を駆除するための方法。
【請求項７】  反応する前記薬剤の少なくとも一方の噴射深さが調整可能であることを特徴とする、請求項６に記載の農作物の病原生物及び有害生物を駆除するための方法。
【請求項８】  反応する前記薬剤を前記土壌に噴射する前に、前記土壌が掘り起こされることを特徴とする、請求項１から請求項７までの何れか一項に記載の農作物の病原生物及び有害生物を駆除するための方法。
【請求項９】  前記第１の薬剤の前記散布と前記第２の薬剤又は前記第１の薬剤及び前記第２の薬剤の前記混合物の前記噴射との間で、前記土壌が掘り起こされることを特徴とする、請求項３に記載の農作物の病原生物及び有害生物を駆除するための方法。
【請求項１０】  前記第１の薬剤及び前記第２の薬剤が他の薬剤の単数又は複数の物質と発熱反応を起こすことができる単数又は複数の物質によって構成されていることを特徴とする、請求項１から請求項９までの何れか一項に記載の農作物の病原生物及び有害生物を駆除するための方法。
【請求項１１】  前記物質の少なくとも１つが、粉末、細粒又は小片の状態の固体物質であることを特徴とする、請求項１０に記載の農作物の病原生物及び有害生物を駆除するための方法。
【請求項１２】  前記物質の少なくとも１つが液体状態であることを特徴とする、請求項１０に記載の農作物の病原生物及び有害生物を駆除するための方法。
【請求項１３】  前記物質の少なくとも１つが気体又は蒸気状態であることを特徴とする、請求項１０に記載の農作物の病原生物及び有害生物を駆除するための方法。
【請求項１４】  前記物質の少なくとも１つが加熱された状態であることを特徴とする、請求項１０から請求項１２までの何れか１項に記載の農作物の病原生物及び有害生物を駆除するための方法。
【請求項１５】  前記物質の１つが、生石灰（ＣａＯ）、苛性ソーダ（ＮａＯＨ）、苛性カリ（ＫＯＨ）、正燐酸（Ｈ3ＰＯ4）、沸石からなる群から選択され、他方の物質が水によって構成されていることを特徴とする、請求項１０から請求項１４項までの何れか一項に記載の農作物の病原生物及び有害生物を駆除するための方法。
【請求項１６】  前記反応の生成物が前記土壌を肥沃化させる薬剤であることを特徴とする、請求項１から請求項１５までの一項に記載の農作物の病原生物及び有害生物を駆除するための方法。
【請求項１７】  前記発熱反応の生成物が前記土壌の酸性度を変更する薬剤であることを特徴とする、請求項１から請求項１６までの何れか一項に記載の農作物の病原生物及び有害生物を駆除するための方法。
【請求項１８】  支持フレーム（１′）と、発熱反応を起こすことができる少なくとも第１の物質を収容するための収容手段（７）と、前記収容手段（７）から前記第１の物質を処理を受ける土壌に放出するための手段へ前記第１の物質を送給するための手段（４）とを備えた農作物の病原生物及び有害生物を駆除するための装置であって、前記第１の物質と発熱を伴って反応することができる第２の物質のための第２収容手段（６）と、該第２収容手段から前記第２の物質を処理を受ける土壌に放出するための手段へ前記第２の物質を送給するための手段（８，９）とを備え、前記土壌を掘り起こすのに適した手段（５）が設けられ、前記第１の物質及び前記第２の物質を放出するための放出手段（３）及び前記土壌を掘り起こすのに適した手段（５）が、前記フレーム（１′）において、耕地のうちの栽培される作物が育てられる細長い領域のみに処理を受けさせるような位置に配置されていることを特徴とする農作物の病原生物及び有害生物を駆除するための装置。
【請求項１９】  前記第１の物質を送給するための手段（４）及び前記第２の物質を送給するための手段（９）が、共有される放出手段（３）へ前記第１の物質及び前記第２の物質を送出することを特徴とする、請求項１８に記載の農作物の病原生物及び有害生物を駆除するための装置。
【請求項２０】  前記第２の物質を送給するための手段（８）が、前記装置の進行方向に前記放出手段（３）の放出領域の上流側で、前記第２の物質を放出することを特徴する、請求項１９に記載の農作物の病原生物及び有害生物を駆除するための装置。
【請求項２１】  前記第１の物質を送給するための手段（９′）及び前記第２の物質を送給するための手段（４′）が前記第１の物質及び前記第２の物質をそれぞれ放出手段（５′及び３′）へ送出することを特徴とする、請求項１８に記載の農作物の病原生物及び有害生物を駆除するための装置。
【請求項２２】  互いと発熱を伴って反応することができる前記物質の少なくとも一方を加熱するための手段（２）が設けられることを特徴とする、請求項１８から請求項２１までの何れか一項に記載の農作物の病原生物及び有害生物を駆除するための装置。
【請求項２３】  上流側に位置する前記第２の物質を送給するための手段（８）と前記放出手段（３）との間に、前記土壌を掘り起こすのに適した手段（５）が配置されていることを特徴とする、請求項１８から請求項２２までの何れか一項に記載の農作物の病原生物及び有害生物を駆除するための装置。
【請求項２４】  前記第１の物質及び前記第２の物質を放出するための前記放出手段（３，３′，５′）が、前記物質を前記土壌自体に噴射するために、前記土壌中に挿入されることを特徴とする、請求項１８から請求項２３までの何れか一項に記載の農作物の病原生物及び有害生物を駆除するための装置。
【請求項２５】  前記第１の物質を噴射するための手段（５′）及び前記第２の物質を噴射するための手段（３′）が相互に異なる深さまで前記土壌へ延びていることを特徴とする、請求項２４に記載の農作物の病原生物及び有害生物を駆除するための装置。
【請求項２６】  前記第１の物質を噴射するための手段又は前記第２の物質を噴射するための手段の少なくとも一方の噴射深さを調整するための手段（１４）が設けられることを特徴とする、請求項２５に記載の農作物の病原生物及び有害生物を駆除するための装置。
【請求項２７】  前記第１の物質及び前記第２の物質を前記土壌に噴射するための手段（３，３′）の上流側の前記土壌を掘り起こすのに適した手段（５，５′）が設けられることを特徴とする、請求項１８から請求項２６までの何れか一項に記載の農作物の病原生物及び有害生物を駆除するための装置。